(57)【要約】【課題】被乾燥物がある場合には自動的に当該被乾燥物へ向けて乾燥した空気を送ることができ、より使い勝手のよい除湿機を得る。【解決手段】除湿機は、除湿手段と、除湿手段によって水分が除去された空気を送る送風手段と、送風手段によって空気が送られる方向を決める風向決定手段と、除湿手段と送風手段と風向決定手段の運転を開始させるための運転開始指示を送信可能な運転開始部と、乾燥対象物を検出可能な検出手段と、制御手段と、を備える。制御手段は、検出手段に乾燥対象物を検出させるための第１制御と水分が除去された空気を当該乾燥対象物へ送るための第２制御とを実行可能である。制御手段は、運転開始部から運転開始指示を受信した後に第１制御を実行し、当該第１制御を実行中に検出手段によって乾燥対象物が検出されると第２制御を実行する。【選択図】図１３
2019032102.tif 000002
【特許請求の範囲】
【請求項１】
空気に含まれる水分を除去する除湿手段と、
前記除湿手段によって水分が除去された空気を送る送風手段と、
前記送風手段によって空気が送られる方向を決める風向決定手段と、
前記除湿手段、前記送風手段および前記風向決定手段の運転を開始させるための運転開始指示を送信可能な運転開始部と、
乾燥対象物を検出可能な検出手段と、
前記検出手段に乾燥対象物を検出させるための第１制御と水分が除去された空気を当該乾燥対象物へ送るための第２制御とを、前記除湿手段と前記送風手段と前記風向決定手段とに対して実行可能な制御手段と、
を備え、
前記制御手段は、前記運転開始部から運転開始指示を受信した後に前記第１制御を実行し、当該第１制御を実行中に前記検出手段によって乾燥対象物が検出されると前記第２制御を実行する除湿機。
【請求項２】
前記除湿手段および前記送風手段は、前記第１制御が実行されている間は停止している請求項１に記載の除湿機。
【請求項３】
前記検出手段は、物の表面温度を検出する表面温度検出手段を有し、当該表面温度検出手段が検出した表面温度に基づいて乾燥対象物を検出する請求項１または請求項２に記載の除湿機。
【請求項４】
前記風向決定手段は、
前記送風手段によって空気が送られる方向を上下方向に変更する第１変更部と、
前記送風手段によって空気が送られる方向を左右方向に変更する第２変更部と、
を有し、
前記第２変更部は、前記第１変更部と共に前記第１変更部が動く方向と同じ方向へ動き、
前記表面温度検出手段は、前記第２変更部と共に前記第２変更部が動く方向と同じ方向へ動く請求項３に記載の除湿機。
【請求項５】
温度の基準値の情報が記憶される記憶手段を更に備え、
前記制御手段は、前記第１制御を実行中に前記表面温度検出手段によって検出された表面温度が前記記憶手段に記憶される前記温度の基準値を上限とする範囲内である場合に前記第２制御を開始する請求項３または請求項４に記載の除湿機。
【発明の詳細な説明】
【技術分野】
【０００１】
本発明は、除湿機に関するものである。
【背景技術】
【０００２】
特許文献１に、除湿機が記載されている。除湿機は、例えば、洗濯物等の被乾燥物を乾燥させるために用いられる。特許文献１に記載された除湿機は、被乾燥物を検知する機能と、検知した被乾燥物に向けて空気を吹き出す機能と、を有している。
【先行技術文献】
【特許文献】
【０００３】
【特許文献１】特開２０１１−１８５５３６号公報
【発明の概要】
【発明が解決しようとする課題】
【０００４】
上記特許文献１に記載された除湿機の使用者は、当該除湿機によって洗濯物等の被乾燥物を乾燥させるためには、乾燥モードを選択する操作を行う必要がある。上記特許文献１に記載された除湿機は、洗濯物等の被乾燥物の有無に応じた運転を自動的に行うことができない。上記特許文献１に記載された除湿機は、使用者にとって使い勝手が好ましくない。
【０００５】
本発明は、上記のような課題を解決するためになされたものである。本発明の目的は、被乾燥物がある場合には自動的に当該被乾燥物へ向けて乾燥した空気を送ることができ、より使い勝手のよい除湿機を得ることである。
【課題を解決するための手段】
【０００６】
本発明に係る除湿機は、空気に含まれる水分を除去する除湿手段と、除湿手段によって水分が除去された空気を送る送風手段と、送風手段によって空気が送られる方向を決める風向決定手段と、除湿手段と送風手段と風向決定手段の運転を開始させるための運転開始指示を送信可能な運転開始部と、乾燥対象物を検出可能な検出手段と、制御手段と、を備える。制御手段は、検出手段に乾燥対象物を検出させるための第１制御と水分が除去された空気を当該乾燥対象物へ送るための第２制御とを、除湿手段と送風手段と風向決定手段とに対して実行可能である。そして、制御手段は、運転開始部から運転開始指示を受信した後に第１制御を実行し、当該第１制御を実行中に検出手段によって乾燥対象物が検出されると第２制御を実行する。
【発明の効果】
【０００７】
本発明に係る除湿機は、検出手段に乾燥対象物を検出させるための第１制御と水分が除去された空気を当該乾燥対象物へ送るための第２制御とを実行可能な制御手段を備える。制御手段は、運転開始指示を受信した後に第１制御を実行し、当該第１制御を実行中に検出手段によって乾燥対象物が検出されると第２制御を実行する。このため、本発明に係る除湿機は、被乾燥物がある場合には自動的に当該被乾燥物へ向けて乾燥した空気を送ることができる。本発明によれば、より使い勝手のよい除湿機を得ることができる。
【図面の簡単な説明】
【０００８】
【図１】実施の形態１の除湿機の斜視図である。
【図２】実施の形態１の除湿機の正面図である。
【図３】実施の形態１の除湿機の側面図である。
【図４】実施の形態１の除湿機の縦断面図である。
【図５】実施の形態１の風向変更部の構成を示す断面図である。
【図６】実施の形態１のセンサ部を正面から見た図である。
【図７】実施の形態１のセンサ部の構造を示す断面図である。
【図８】実施の形態１の制御装置の機能を示すブロック図である。
【図９】実施の形態１の記憶部に記憶される表面温度の基準値の情報を模式的に示す図である。
【図１０】実施の形態１の制御装置の構成の一例を示す図である。
【図１１】実施の形態１の走査範囲を示す図である。
【図１２】実施の形態１の走査可能範囲を示す図である。
【図１３】実施の形態１の動作を示すフローチャートである。
【図１４】実施の形態２の制御装置の機能を示すブロック図である。
【図１５】実施の形態２の動作を示すフローチャートである。
【図１６】実施の形態３の制御装置の機能を示すブロック図である。
【図１７】実施の形態３の動作を示すフローチャートである。
【発明を実施するための形態】
【０００９】
以下、添付の図面を参照して、実施の形態について説明する。各図における同一の符号は、同一の部分または相当する部分を示す。本開示では、重複する説明については、適宜に簡略化または省略する。なお、本発明は、以下の各実施の形態で説明する構成のあらゆる組み合わせを含み得るものである。
【００１０】
実施の形態１．
図１は、実施の形態１の除湿機１００の斜視図である。図２は、実施の形態１の除湿機１００の正面図である。図３は、実施の形態１の除湿機１００の側面図である。図１、図２および図３は、除湿機１００の外観を示す。
【００１１】
ここで、本実施の形態における方向を定義する。図２における紙面上の上下方向を、本実施の形態における上下方向とする。図２における紙面の手前方向を、本実施の形態における前方向とする。図２における紙面の奥方向を、本実施の形態における後方向とする。図２における紙面上の左方向は、本実施の形態における右方向である。図２における紙面上の右方向は、本実施の形態における左方向である。
【００１２】
図３における紙面上の左右方向は、本実施の形態における前後方向である。図３における紙面上の上下方向は、本実施の形態における上下方向である。図３における紙面の手前方向を、本実施の形態における左方向とする。図３における紙面の奥方向を、本実施の形態における右方向とする。
【００１３】
また、図４は、実施の形態１の除湿機１００の縦断面図である。図４は、図２におけるＡ−Ａ位置での除湿機１００の断面を示す。図４は、除湿機１００の内部の構造を模式的に示す。図４における紙面上の上下左右方向は、図３における紙面上の上下左右方向に対応する。
【００１４】
除湿機１００は、筐体１を備える。筐体１は、除湿機１００の外殻を形成する部材である。筐体１の形状は、例えば、自立可能な縦長の箱状である。除湿機１００は、筐体１の底に設けられた車輪２を備えてもよい。車輪２は、使用者が除湿機１００を容易に移動させるための部材である。
【００１５】
筐体１には、吸込口３および吹出口４が形成される。吸込口３は、筐体１内に空気を取り込むための開口である。吹出口４は、筐体１内から筐体１外へ空気を送り出すための開口である。吸込口３は、例えば、筐体１の後面に形成される。吹出口４は、例えば、筐体１の前面の上部に形成される。吹出口４の形状は、例えば、左右方向に伸びる長方形状である。
【００１６】
筐体１の内側には、風路５が形成される。風路５は、吸込口３から吹出口４へ至る空間である。本実施の形態の除湿機１００は、空気を送る送風手段の一例として、ファン６ａおよびファンモータ６を備える。ファン６ａは、吸込口３から吹出口４へ向かう気流を風路５内に発生させるための部材である。このファン６ａには、ファンモータ６が接続される。ファンモータ６は、ファン６ａを回転させる機器である。
【００１７】
ファン６ａおよびファンモータ６は、筐体１の内側に設けられる。ファン６ａは、風路５内に配置される。ファン６ａが回転すると、風路５内に、吸込口３から吹出口４へ向かう気流が発生する。ここで、風路５において、吸込口３がある側を上流側、吹出口４がある側を下流側とする。上流側から下流側へ向かう気流が発生することによって、筐体１内から筐体１外へ空気が送り出される。当該空気は、吹出口４から吹き出す。
【００１８】
除湿機１００は、空気に含まれる水分を除去する除湿手段の一例として、除湿部７を備える。本実施の形態の除湿部７は、空気中の水分を凝縮して排出する。一例として、除湿部７は、凝縮した水分を、液体の水として下方に滴下する。除湿部７は、空気中の水分の除去、すなわち空気の除湿を行う機器である。除湿部７によって除湿された空気は、乾燥した空気となる。
【００１９】
除湿部７は、例えば、ヒートポンプ回路を利用した機器である。ヒートポンプ回路を利用した除湿部７は、当該ヒートポンプ回路の蒸発器によって、空気中の水分を凝縮する。なお、除湿部７は、例えば、デシカント方式の機器であってもよい。デシカント方式の除湿部７は、空気中の水分を吸着する吸着剤、ヒーターおよび熱交換器を有する。吸着剤に吸着された水分は、ヒーターによって加熱される。ヒーターによって加熱された水分は、熱交換器によって冷却され、凝縮する。このように、除湿部７は、任意の方式によって空気中の水分を凝縮する。
【００２０】
除湿部７は、筐体１の内側に設けられる。除湿部７は、風路５内に配置される。除湿部７は、例えば、ファン６ａの上流側に配置される。一例として、除湿部７は、吸込口３とファン６ａとの間に配置される。本実施の形態において、吸込口３、除湿部７、ファン６ａおよび吹出口４は、上流側から下流側へ順に配置される。
【００２１】
図４に示すように、除湿部７の下方には、当該除湿部７によって排出された水を貯める貯水部８が設けられる。貯水部８は、容器状の部材である。貯水部８は、筐体１に対して着脱可能に設けられる。
【００２２】
除湿機１００は、フィルター９を備えてもよい。フィルター９は、筐体１の内側に設けられる。フィルター９は、吸込口３を覆うように設けられる。フィルター９は、筐体１内への塵および埃の侵入を防止する部材である。
【００２３】
また、除湿機１００は、風向変更部１０を備える。図５は、実施の形態１の風向変更部１０の構成を示す断面図である。図５は、図３におけるＢ−Ｂ位置での除湿機１００の断面の一部を、模式的に示している。図５における紙面上の上下左右方向は、図２における紙面上の上下左右方向に対応する。
【００２４】
風向変更部１０は、吹出口４から空気が送られる方向を決めるためのものである。吹出口４から空気が送られる方向を、以下、送風方向と称する。風向変更部１０が動くことにより、送風方向は変更される。送風方向は、風向変更部１０の状態によって決まる。風向変更部１０は、送風手段の一例であるファンモータ６およびファン６ａによって空気が送られる方向を決める風向決定手段の一例である。図１、図２および図４に示すように、風向変更部１０は、吹出口４の近傍に配置される。
【００２５】
風向変更部１０は、上下方向ルーバー１１および左右方向ルーバー１３を有する。上下方向ルーバー１１は、送風方向を上下方向に変更する。左右方向ルーバー１３は、送風方向を左右方向に変更する。上下方向ルーバー１１は第１変更部の一例である。左右方向ルーバー１３は、第２変更部の一例である。
【００２６】
上下方向ルーバー１１は、吹出口４の形状に合わせて形成される。本実施の形態の上下方向ルーバー１１は、左右方向に伸びる長方形状の枠状の部材である。一例として、上下方向ルーバー１１には、図５に示すように、左右方向に伸びる板状の３枚の部材が含まれる。上下方向ルーバー１１は、左右方向に伸びる長方形状の開口を有する。上下方向ルーバー１１は、この開口の向きが上下に変更されるように、回転可能に形成される。上下方向ルーバー１１は、左右方向に伸びる軸１１ａを介して筐体１に取り付けられる。上下方向ルーバー１１は、軸１１ａを中心にして回転可能である。
【００２７】
風向変更部１０は、上下方向ルーバー１１を動かすための第１モータ１２を有する。第１モータ１２は、筐体１内に設けられる。第１モータ１２は、歯車１２ａ、歯車１２ｂおよび歯車１２ｃを介し、上下方向ルーバー１１に機械的に接続する。第１モータ１２は、上下方向ルーバー１１を回転させる機器である。第１モータ１２が駆動して上下方向ルーバー１１が回転することで、当該上下方向ルーバー１１の開口の向きが上下方向に変更される。送風方向は、上下方向ルーバー１１の開口の向きが上下方向に変更されることにより、上下方向に変更される。
【００２８】
左右方向ルーバー１３は、上下方向に伸びる板状の部材によって形成される。一例として、左右方向ルーバー１３には、上下方向に伸びる板状の部材が６枚含まれる。上下方向に伸びる６枚の板状の部材は、例えば、等間隔に配置される。
【００２９】
左右方向ルーバー１３は、枠状の上下方向ルーバー１１の内側に配置される。左右方向ルーバー１３は、図示しない上下方向に沿った軸を介し、上下方向ルーバー１１に取り付けられる。左右方向ルーバー１３は、この上下方向に沿った軸を中心にして回転可能である。また、一例として、上下方向ルーバー１１および左右方向ルーバー１３は、当該上下方向ルーバー１１の左右方向の中央と当該左右方向ルーバー１３全体の左右方向の中央とが一致するように、配置される。
【００３０】
風向変更部１０は、左右方向ルーバー１３を動かすための第２モータ１４を有する。第２モータ１４は、筐体１内に設けられる。また、風向変更部１０は、リンク１５を有する。リンク１５は、左右方向ルーバー１３の後部に接続される部材である。また、リンク１５は、第２モータ１４に接続される。すなわち、左右方向ルーバー１３と第２モータ１４とは、リンク１５を介して接続される。
【００３１】
第２モータ１４が駆動すると、当該第２モータ１４に接続されたリンク１５が動く。リンク１５が動くと、当該リンク１５に連動して左右方向ルーバー１３が回転する。左右方向ルーバー１３は、左右方向ルーバー１３を上下方向ルーバー１１に対して取り付けている上下方向に沿った軸を中心にして、回転する。送風方向は、左右方向ルーバー１３が回転することにより、左右方向に変更される。
【００３２】
また、リンク１５は、上下方向ルーバー１１と連動するように形成される。リンク１５は、上下方向ルーバー１１が動くと、当該上下方向ルーバー１１と共に動く。上述したように、リンク１５が動くと、当該リンク１５に接続された左右方向ルーバー１３も動く。すなわち、左右方向ルーバー１３は、上下方向ルーバー１１が動くと、当該上下方向ルーバー１１に連動するリンク１５と共に動く。このようにして、左右方向ルーバー１３は、上下方向ルーバー１１が動く方向と同じ方向へ動く。
【００３３】
上下方向ルーバー１１および左右方向ルーバー１３は、一定の範囲内で動くことが可能に形成される。送風方向は、上下方向ルーバー１１および左右方向ルーバー１３が動くことで、一定の範囲内で変更される。言い換えると、除湿機１００は、一定の範囲内に空気を送ることができる。除湿機１００が空気を送ることができる一定の範囲を、以下、送風可能範囲とも称する。また、吹出口４から送り出された空気が当たる領域を、以下、送風領域とも称する。送風領域は、上下方向ルーバー１１および左右方向ルーバー１３が動くことで、送風可能範囲内で変更される。
【００３４】
また、除湿機１００は、センサ部１６を備える。センサ部１６は、枠状の上下方向ルーバー１１の内側に配置される。一例としてセンサ部１６は、上下方向ルーバー１１の左右方向の中央の位置に配置される。
【００３５】
図６は、実施の形態１のセンサ部１６を正面から見た図である。図７は、実施の形態１のセンサ部１６の構造を示す断面図である。図７は、図６におけるＣ−Ｃ位置でのセンサ部１６の断面を示す。図６の紙面の手前方向を、センサ部１６の正面方向とする。図６の紙面上の上下方向を、センサ部１６の上下方向とする。また、図７における紙面上の右方向は、センサ部１６の正面方向である。図７における紙面上の左方向はセンサ部１６の背面方向である。図７の紙面上の上下方向は、センサ部１６の上下方向である。
【００３６】
図６および図７に示すように、センサ部１６は、センサケース１７を有する。センサケース１７は、センサ部１６の外枠となる部材である。一例として、センサケース１７は、筒状に形成される。センサケース１７は、例えば、図示しない上下方向に伸びる軸によって支持される。また、センサケース１７は、例えば、図示しない左右方向に伸びる軸によって支持される。センサケース１７は、これらの軸を中心にして回転可能である。
【００３７】
一例としてセンサケース１７は、上下方向ルーバー１１の左右方向の中央の位置で、リンク１５に接続される。センサケース１７は、リンク１５を介して、左右方向ルーバー１３に機械的に接続される。なお、センサケース１７は、リンク１５を介さず、左右方向ルーバー１３に直接設けられてもよい。
【００３８】
センサケース１７は、当該センサケース１７の正面が送風方向を向くように設けられる。上述したように、センサケース１７は、リンク１５または左右方向ルーバー１３に、機械的に接続されている。センサケース１７は、左右方向ルーバー１３に連動する。センサケース１７は、左右方向ルーバー１３が動く方向と同じ方向へ動く。
【００３９】
また、上述したように、左右方向ルーバー１３は、上下方向ルーバー１１と共に動く。左右方向ルーバー１３に連動するセンサケース１７は、上下方向ルーバー１１が動くと、この上下方向ルーバー１１に連動する。センサケース１７は、上下方向ルーバー１１が動く方向と同じ方向へ動く。このようにして、センサケース１７の正面は、送風方向が変更された場合においても、変更された後の送風方向を向く。センサケース１７の正面が向く方向は、送風可能範囲内で変更される。
【００４０】
センサケース１７は、一例として、センサ窓１７ａを有する。センサ窓１７ａは、図６および図７に示すように、センサケース１７の正面部分に形成される。センサ窓１７ａは、赤外線の透過率が高い材料によって形成される。赤外線の透過率が高い材料は、例えば、シリコンである。センサケース１７に対して正面方向にある物から放射された赤外線は、センサ窓１７ａを透過する。吹出口４から空気が送り出されている場合、送風領域から放射された赤外線は、センサ窓１７ａを透過する。
【００４１】
センサ部１６は、物の表面温度を検出する表面温度検出手段の一例である表面温度検出部１８を有する。表面温度検出部１８は、物の表面温度を、当該物に接触していない状態で検出することができる。表面温度検出部１８は、センサ窓１７ａを透過した赤外線を受けることで、当該赤外線を発した物の表面温度を検出する。表面温度検出部１８は、センサケース１７に対して正面方向にある物の表面温度を検出する。表面温度検出部１８は、例えば、吹出口４から送り出された空気が当たっている送風領域の表面温度を検出する。
【００４２】
上記の表面温度検出部１８の構成について、より詳しく説明する。表面温度検出部１８は、センサケース１７の内部に設けられる。表面温度検出部１８は、センサ窓１７ａの背面側に配置される。一例として、表面温度検出部１８には、熱起電力を利用したものが用いられる。熱起電力を利用して表面温度を検出する表面温度検出部１８は、赤外線吸収膜およびサーミスタを有する。
【００４３】
表面温度検出部１８の赤外線吸収膜は、センサ窓１７ａを透過した赤外線を吸収する。赤外線吸収膜は、感熱部分を有する。赤外線吸収膜の感熱部分は、センサ窓１７ａを透過した赤外線を吸収することによって昇温する。赤外線吸収膜の感熱部分は、温接点となる。また、表面温度検出部１８のサーミスタは、赤外線吸収膜の感熱部分ではない部分の温度を検出する。赤外線吸収膜の感熱部分ではない上記の部分は、冷接点となる。表面温度検出部１８は、上記の温接点と冷接点との温度差から、赤外線吸収膜に吸収された赤外線を発した領域の表面温度を検出する。このようにして表面温度検出部１８は、センサケース１７に対して正面方向にある物の表面温度を検出する。
【００４４】
吹出口４から送り出された空気が当たる領域である送風領域は、送風方向と共に変更される。センサケース１７の内部に設けられた表面温度検出部１８は、センサケース１７と共に動く。上述したように、センサケース１７は、上下方向ルーバー１１および左右方向ルーバー１３と共に動く。すなわち、表面温度検出部１８は、上下方向ルーバー１１および左右方向ルーバー１３と共に動く。また、センサケース１７の正面部分に形成されたセンサ窓１７ａも、上下方向ルーバー１１および左右方向ルーバー１３と共に動く。これにより、表面温度検出部１８は、送風領域が変更された場合においても、変更された後の送風領域の表面温度を検出することができる。
【００４５】
表面温度検出部１８は、上下方向ルーバー１１および左右方向ルーバー１３とともに動くことで、送風可能範囲における表面温度を検出することができる。例えば、表面温度検出部１８は、ファンモータ６および除湿部７が停止した状態で第１モータ１２と第２モータ１４とが動くことで、送風可能範囲における表面温度を検出する。このように、表面温度検出部１８は、ある範囲における物の表面温度を検出することができる。
【００４６】
なお、表面温度検出手段の一例である表面温度検出部１８の構成は、上記の例に限られない。表面温度検出部１８は、ある範囲における物の表面温度を検出するものであればよい。例えば、表面温度検出部１８が設けられたセンサケース１７は、左右方向ルーバー１３に取り付けられていなくてもよい。表面温度検出部１８が設けられたセンサケース１７は、上下方向ルーバー１１および左右方向ルーバー１３から独立して動くことが可能であってもよい。上下方向ルーバー１１および左右方向ルーバー１３から独立して動くことが可能なセンサケース１７の正面方向は、送風方向と一致していなくてもよい。除湿機１００は、センサケース１７を動かすためのモータ等を備えていてもよい。
【００４７】
また、本実施の形態の除湿機１００は、制御装置１９および操作部２０を備える。制御装置１９は、除湿機１００に備えられる各機器に電気的に接続される。制御装置１９は、除湿機１００に備えられる各機器を制御するものである。制御装置１９は、筐体１の内部に設けられる。
【００４８】
操作部２０は、使用者が除湿機１００を操作するためのものである。操作部２０は、例えば、筐体１の上面の後面側に設けられる。本実施の形態において、操作部２０は、運転ボタン２０ａを有する。
【００４９】
運転ボタン２０ａは、除湿機１００の運転を開始または停止させるためのものである。除湿機１００は、ファンモータ６、除湿部７、第１モータ１２および第２モータ１４が動作することによって運転する装置である。また、除湿機１００の運転は、ファンモータ６、除湿部７、第１モータ１２および第２モータ１４が停止することによって、停止する。運転ボタン２０ａは、ファンモータ６、除湿部７、第１モータ１２および第２モータ１４の運転を開始または停止させるためのものでもある。また、操作部２０は、モード選択ボタン２０ｂを有していてもよい。モード選択ボタン２０ｂは、使用者が除湿機１００の運転モードを選択するためのものである。
【００５０】
図８は、実施の形態１の制御装置１９の機能を示すブロック図である。制御装置１９は、操作部２０に、電気的に接続される。操作部２０の運転ボタン２０ａおよびモード選択ボタン２０ｂは、使用者からの操作に応じた信号を、制御装置１９へ送信する。また、制御装置１９は、ファンモータ６、除湿部７、第１モータ１２および第２モータ１４に、電気的に接続される。制御装置１９は、操作部２０から信号を受信すると、受信した信号に応じて、ファンモータ６、除湿部７、第１モータ１２および第２モータ１４を制御する。
【００５１】
例えば、除湿機１００が停止している状態で運転ボタン２０ａが操作されると、当該運転ボタン２０ａは運転開始指示を送信する。この運転開始指示は、ファンモータ６、除湿部７、第１モータ１２および第２モータ１４の運転を開始させるための信号である。本実施の形態の運転ボタン２０ａは、運転開始指示を送信可能な運転開始部の一例である。
【００５２】
また、除湿機１００の運転が行われている状態で運転ボタン２０ａが操作されると、当該運転ボタン２０ａは運転停止指示を送信する。運転停止指示は、除湿機１００の運転を停止させるための信号である。制御装置１９は、運転ボタン２０ａから受信した信号に応じて、除湿機１００の運転が開始または停止するように、ファンモータ６、除湿部７、第１モータ１２および第２モータ１４を制御する。
【００５３】
また、制御装置１９は、図８に示すように、表面温度検出部１８に電気的に接続される。表面温度検出部１８は、検出した表面温度の情報を、電圧等の電気信号に変換する。表面温度検出部１８は、変換した電気信号を、制御装置１９へ送信する。制御装置１９は、表面温度検出部１８からの電気信号に基づいて、ファンモータ６、除湿部７、第１モータ１２および第２モータ１４を制御する。
【００５４】
また、本実施の形態の制御装置１９は、図８に示すように、制御部１９ａ、記憶部１９ｂおよび判定部１９ｃを有する。制御部１９ａは、除湿機１００を制御するための制御手段の一例である。例えば、制御部１９ａは、操作部２０からの信号に基づいて、第１モータ１２および第２モータ１４を制御する。上述したように、第１モータ１２および第２モータ１４が動くと、送風方向が変更される。このように、送風方向は、制御部１９ａによって第１モータ１２および第２モータ１４が制御されることで、変更される。本実施の形態における制御部１９ａは、送風方向を制御するための手段でもある。
【００５５】
記憶部１９ｂは、記憶手段の一例である。記憶部１９ｂには、例えば、予め複数の運転モードが設定されている。制御部１９ａは、モード選択ボタン２０ｂからの信号に基づいて、記憶部１９ｂに設定された複数の運転モードの中から１つの運転モードの処理を実行する。ファンモータ６、除湿部７、第１モータ１２および第２モータ１４は、制御部１９ａによって実行された処理に従って動作する。
【００５６】
また、本実施の形態において、記憶部１９ｂには、表面温度の基準値の情報が記憶される。判定部１９ｃは、表面温度検出部１８からの電気信号に含まれる温度情報と記憶部１９ｂに記憶された基準値の情報とに基づく判定を行う。判定部１９ｃは、各種の判定を行う判定手段の一例である。
【００５７】
記憶部１９ｂには、表面温度の基準値の情報が記憶される。図９は、実施の形態１の記憶部１９ｂに記憶される表面温度の基準値の情報を模式的に示す図である。本実施の形態において、記憶部１９ｂには、表面温度の基準値の一例である第１温度Ｔｈ１および第２温度Ｔｈ２の情報が記憶される。
【００５８】
第１温度Ｔｈ１は、例えば、標準的な室温に基づいて設定される。第２温度Ｔｈ２は、第１温度Ｔｈ１よりΔＴ１だけ低い温度として設定される。第１温度Ｔｈ１および第２温度Ｔｈ２は、被乾燥物の検出を行うための基準値である。なお、第１温度Ｔｈ１および第２温度Ｔｈ２は、予め記憶部１９ｂに記憶されていなくてもよい。除湿機１００は、例えば、室温を実測するセンサを備えていてもよい。このセンサによって実測された室温が第１温度Ｔｈ１として設定されてもよい。また、第２温度Ｔｈ２は、実測された室温からΔＴ１を減じた値として算出されてもよい。
【００５９】
ここで、第２温度Ｔｈ２を上限値とする温度範囲を第１基準Ｔｒ１とする。本実施の形態において、判定部１９ｃは、表面温度検出部１８によって検出された表面温度が第１基準Ｔｒ１内であるか判定する。換言すると、判定部１９ｃは、表面温度検出部１８によって検出された表面温度が第２温度Ｔｈ２以下であるか判定する。この判定は、表面温度検出部１８によって表面温度が検出された領域に被乾燥物があるかどうかの判定である。表面温度検出部１８によって表面温度が検出された領域に被乾燥物がある場合、判定部１９ｃは、表面温度検出部１８によって検出された表面温度が第２温度Ｔｈ２以下であると判定する。表面温度検出部１８によって検出された表面温度が第２温度Ｔｈ２以下であるという判定結果は、すなわち、表面温度検出部１８によって表面温度が検出された領域に被乾燥物があるという判定結果を意味する。判定部１９ｃは、表面温度検出部１８によって表面温度が検出された領域に被乾燥物があると判定することにより、被乾燥物を検出する。
【００６０】
被乾燥物は、例えば、濡れた洗濯物等である。濡れた洗濯物等の表面温度は、室温および第２温度Ｔｈ２以下である。表面温度検出部１８によって被乾燥物の表面温度が検出されると、判定部１９ｃは、表面温度検出部１８によって検出された表面温度が第２温度Ｔｈ２以下であると判定する。制御部１９ａは、判定部１９ｃの判定結果に応じて、被乾燥物が位置する領域に風が送られるように第１モータ１２および第２モータ１４を制御する機能を有する。
【００６１】
表面温度検出部１８および判定部１９ｃは、上記のようにして被乾燥物を検出する。本実施の形態における表面温度検出部１８および判定部１９ｃは、被乾燥物を検出可能な検出手段の一例である。そして、制御手段の一例である制御部１９ａは、検出された被乾燥物に空気が送られるように、ファンモータ６と除湿部７と第１モータ１２と第２モータ１４とを制御する機能を有する。なお、被乾燥物を検出する検出手段は、例えば、焦電素子を用いたセンサ、超音波によって人を検出するセンサまたは可視光によって人を検出するセンサ等によって構成されてもよい。
【００６２】
また、記憶部１９ｂには、第３温度Ｔｈ３の情報が記憶されてもよい。第３温度Ｔｈ３は、被乾燥物の乾燥が完了したかどうかを判定するための基準値である。第３温度Ｔｈ３は、第１温度Ｔｈ１よりΔＴ２だけ高い温度として設定される。
【００６３】
ここで、第３温度Ｔｈ３を下限値とする温度範囲を第２基準Ｔｒ２とする。判定部１９ｃは、表面温度検出部１８によって検出された表面温度が第２基準Ｔｒ２内であるか判定する機能を有していてもよい。換言すると、判定部１９ｃは、表面温度検出部１８によって検出された表面温度が第３温度Ｔｈ３以上であるか判定する機能を有してもよい。この判定は、被乾燥物の乾燥が完了したか否かの判定である。
【００６４】
乾いた洗濯物等の表面温度は、室温および第３温度Ｔｈ３以上である。例えば、乾いた洗濯物等の表面温度が表面温度検出部１８によって検出されると、判定部１９ｃは、表面温度検出部１８によって検出された表面温度が第３温度Ｔｈ３以上であると判定する。また、乾燥が完了していない洗濯物等の表面温度が表面温度検出部１８によって検出されると、判定部１９ｃは、表面温度検出部１８によって検出された表面温度が第３温度Ｔｈ３以下であると判定する。洗濯物等の被乾燥物の乾燥が完了したか否かの判定は、上記のように行われる。
【００６５】
図１０は、実施の形態１の制御装置１９の構成の一例を示す図である。制御装置１９の制御部１９ａ、記憶部１９ｂおよび判定部１９ｃの各機能は、例えば、処理回路により実現される。処理回路は、専用ハードウェア２００であってもよい。処理回路は、プロセッサ２０１およびメモリ２０２を備えていてもよい。処理回路の一部が専用ハードウェア２００として形成され、且つ、当該処理回路は更にプロセッサ２０１およびメモリ２０２を備えていてもよい。図１２に示す例において、処理回路の一部は専用ハードウェア２００として形成されている。また、図１２に示す例において、処理回路は、専用ハードウェア２００に加えて、プロセッサ２０１およびメモリ２０２を更に備えている。
【００６６】
一部が少なくとも１つの専用ハードウェア２００である処理回路には、例えば、単一回路、複合回路、プログラム化したプロセッサ、並列プログラム化したプロセッサ、ＡＳＩＣ、ＦＰＧＡ、またはこれらを組み合わせたものが該当する。
【００６７】
処理回路が少なくとも１つのプロセッサ２０１および少なくとも１つのメモリ２０２を備える場合、制御装置１９の制御部１９ａ、記憶部１９ｂおよび判定部１９ｃの各機能は、ソフトウェア、ファームウェア、またはソフトウェアとファームウェアとの組み合わせにより実現される。
【００６８】
ソフトウェアおよびファームウェアはプログラムとして記述され、メモリ２０２に格納される。プロセッサ２０１は、メモリ２０２に記憶されたプログラムを読み出して実行することにより、各部の機能を実現する。プロセッサ２０１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータあるいはＤＳＰともいう。メモリ２０２には、例えば、ＲＡＭ、ＲＯＭ、フラッシュメモリー、ＥＰＲＯＭおよびＥＥＰＲＯＭ等の不揮発性または揮発性の半導体メモリ、または磁気ディスク、フレキシブルディスク、光ディスク、コンパクトディスク、ミニディスクおよびＤＶＤ等が該当する。
【００６９】
このように、処理回路は、ハードウェア、ソフトウェア、ファームウェア、またはこれらの組み合わせによって、制御装置１９の制御部１９ａ、記憶部１９ｂおよび判定部１９ｃの各機能を実現することができる。なお、除湿機１００の構成は、単一の制御装置１９により動作が制御される構成に限定されるものではない。除湿機１００は、複数の装置が連携することにより動作が制御されるように構成されてもよい。
【００７０】
上述したように、記憶手段の一例である記憶部１９ｂには、複数の運転モードが設定されている。本実施の形態において、記憶部１９ｂに設定されている複数の運転モードには、第１モードの一例として、検出モードが含まれる。検出モードとは、被乾燥物の検出を行うための運転モードである。また、記憶部１９ｂに設定されている複数の運転モードには、第２モードの一例として、対象物乾燥モードが含まれる。対象物乾燥モードとは、被乾燥物に向けて空気を送るための運転モードである。
【００７１】
本実施の形態の制御部１９ａは、運転ボタン２０ａから運転開始指示を受信した後、自動的に検出モードの処理を実行する。検出モードの処理が実行されている間、ファンモータ６および除湿部７は停止する。すなわち、検出モードの処理が実行されている間、吹出口４から空気は吹き出されない。ファンモータ６および除湿部７が停止している際の除湿機１００の状態を、以下では、待機状態とも称する。換言すると、検出モードの処理が実行されている間、除湿機１００は待機状態になっている。
【００７２】
また、制御部１９ａは、検出モードの処理を実行することにより、第１モータ１２と第２モータ１４とを動かす。第１モータ１２と第２モータ１４とが動くことにより、上下方向ルーバー１１と左右方向ルーバー１３とセンサケース１７とも動く。センサケース１７に設けられた表面温度検出部１８は、検出モードの処理が実行されている間、ある範囲における物の表面温度を検出する。
【００７３】
ここで、検出モードの処理が実行されている間に表面温度検出部１８によって表面温度が検出される範囲を、走査範囲３０と称することとする。図１１は、実施の形態１の走査範囲３０を示す図である。また、図１２は、実施の形態１の走査可能範囲３０ａを示す図である。走査可能範囲３０ａとは、表面温度検出部１８が表面温度を検出することができる全ての範囲を意味する。本実施の形態において、走査可能範囲３０ａは、送風可能範囲に一致する。
【００７４】
走査範囲３０は、衣服３１等の洗濯物が干されることが想定される場所に基づいて設定される。衣服３１等の洗濯物は、例えば、物干し竿等に干される。物干し竿が配置される高さは、一般的に、使用者の身長と同等または使用者の身長以上の高さである。走査範囲３０は、一例として、走査可能範囲３０ａの上半分として設定される。なお、走査範囲３０は、走査可能範囲３０ａの上半分よりも低くてもよい。
【００７５】
設定された走査範囲３０の情報は、記憶部１９ｂに記憶される。制御部１９ａによって検出モードの処理が実行されると、走査範囲３０内の表面温度が表面温度検出部１８によって検出されるように上下方向ルーバー１１と左右方向ルーバー１３とが動く。
【００７６】
走査範囲３０内に濡れた衣服３１等の被乾燥物がある場合に検出モードの処理が実行されると、表面温度検出部１８および判定部１９ｃは、当該被乾燥物を検出する。表面温度検出部１８および判定部１９ｃによって被乾燥物が検出された場合、制御部１９ａは、検出モードの処理を終了して対象物乾燥モードの処理を実行する。
【００７７】
上述したように、対象物乾燥モードとは、被乾燥物に向けて空気を送るための運転モードである。対象物乾燥モードの処理が実行されると、ファンモータ６および除湿部７が駆動する。これにより、水分が除去された空気が吹出口４から吹き出される。ファンモータ６および除湿部７が駆動している際の除湿機１００の状態を、以下では、動作状態とも称する。換言すると、対象物乾燥モードの処理が実行されている間、除湿機１００は動作状態になっている。動作状態の除湿機１００は、被乾燥物および室内の空気等を乾燥させることができる。
【００７８】
また、対象物乾燥モードの処理が実行されている間、第１モータ１２と第２モータ１４とは、吹出口４から吹き出された空気が被乾燥物に当たるように動く。換言すると、制御部１９ａは、対象物乾燥モードの処理によって、吹出口４から吹き出された空気が被乾燥物に当たるように第１モータ１２と第２モータ１４とを動かす。第１モータ１２と第２モータ１４とが動くことにより、上下方向ルーバー１１と左右方向ルーバー１３とが動く。上下方向ルーバー１１と左右方向ルーバー１３とが動くことで、送風方向および送風領域が変更される。対象物乾燥モードの処理が実行されると、送風方向および送風領域は、表面温度検出部１８および判定部１９ｃによって検出された被乾燥物に空気が当たるように調整される。このように、除湿機１００は、対象物乾燥モードの処理が実行されることによって、被乾燥物に向けて空気を吹き出す。
【００７９】
次に、除湿機１００の動作について、図１３を参照して、より具体的に説明する。図１３は、実施の形態１の動作を示すフローチャートである。
【００８０】
除湿機１００は、例えば、リビング等の室内で使用される。使用者は、除湿機１００の運転を開始させるために、運転ボタン２０ａを操作する。除湿機１００が停止している状態で運転ボタン２０ａが操作されると、当該運転ボタン２０ａは、制御部１９ａへ運転開始指示を送信する。これにより、除湿機１００の運転が開始する（ステップＳ１０１）。
【００８１】
制御部１９ａは、運転開始指示を受信すると、ファンモータ６および除湿部７を駆動させる。これにより、除湿機１００は、動作状態になる。ファンモータ６が駆動すると、ファン６ａが回転する。ファン６ａは、気流を発生させる。これにより、図４に示すように、室内空気Ｐが吸込口３から筐体１の内部へ取り込まれる。室内空気Ｐは、除湿部７によって除湿されて、乾燥空気Ｑとなる。乾燥空気Ｑは、吹出口４から室内へ送り出される。動作状態になった除湿機１００は、乾燥空気Ｑを室内へ向けて送風する（ステップＳ１０２）。
【００８２】
ステップＳ１０２で除湿機１００が動作状態になると、除湿機１００が動作状態になってから第１時間経過したかの判定が行われる（ステップＳ１０３）。ステップＳ１０３の判定は、例えば、判定部１９ｃによって行われる。また、第１時間の情報は、例えば、予め記憶部１９ｂに記憶される。第１時間は、一例として、使用者が一日に衣服３１等の洗濯物を干す回数に基づいて設定される。第１時間は、例えば、６時間である。なお、第１時間は、使用者が操作部２０を操作することによって変更されてもよい。第１時間は、例えば、衣服３１等の洗濯物を干す回数の増減に応じて、任意の時間に変更される。
【００８３】
除湿機１００が動作状態になってから第１時間経過していない場合、除湿機１００は乾燥空気Ｑを室内へ向けて送風し続ける。また、除湿機１００が動作状態になってから第１時間経過した場合には、検出モードの処理が実行される（ステップＳ１０４）。このように、本実施の形態では、使用者によって運転ボタン２０ａが操作されてから一定時間経過後に、自動的に検出モードの処理が実行される。
【００８４】
ステップＳ１０４で検出モードの処理が実行されることにより、除湿機１００は待機状態になる。また、検出モードの処理が実行されることにより、表面温度検出部１８は、走査範囲３０内の表面温度を検出する。
【００８５】
ステップＳ１０４で検出モードの処理が実行されると、検出モードの処理が開始してから第２時間経過したかの判定が行われる（ステップＳ１０５）。ステップＳ１０５の判定は、例えば、判定部１９ｃによって行われる。第２時間の情報は、例えば、予め記憶部１９ｂに記憶される。
【００８６】
検出モードの処理が開始してから第２時間経過した場合、検出モードの処理が終了してステップＳ１０２の処理が再び実行される。これにより、除湿機１００は待機状態から再び動作状態になる。このように、検出モードの処理は、一定の時間だけ継続される。また、検出モードの処理は、一定時間ごとに繰り返し実行される。
【００８７】
検出モードの処理が開始してから第２時間経過していない場合には、被乾燥物を検出したか否かの判定が行われる（ステップＳ１０６）。具体的には、判定部１９ｃは、表面温度検出部１８によって検出された表面温度が第１基準Ｔｒ１内であるか判定する。表面温度検出部１８によって検出された表面温度が第１基準Ｔｒ１内である場合、すなわち、走査範囲３０内に濡れた衣服３１等の被乾燥物がある場合、当該被乾燥物は表面温度検出部１８および判定部１９ｃによって検出される。
【００８８】
ステップＳ１０６で被乾燥物が検出されなかった場合、ステップＳ１０５の処理が継続される。ステップＳ１０６で被乾燥物が検出された場合には、制御部１９ａは、検出モードの処理を終了して対象物乾燥モードの処理を実行する（ステップＳ１０７）。
【００８９】
対象物乾燥モードの処理が実行されると、ファンモータ６および除湿部７が駆動する。対象物乾燥モードの処理が実行されると、除湿機１００は動作状態になり、吹出口４から乾燥空気Ｑが吹き出される。また、上下方向ルーバー１１および左右方向ルーバー１３は、表面温度検出部１８および判定部１９ｃによって検出された被乾燥物に乾燥空気Ｑが当たるように制御される。対象物乾燥モードの処理が実行されている間、濡れた衣服３１等の被乾燥物に乾燥空気Ｑが当たる。除湿機１００は、対象物乾燥モードの処理が実行されることによって、濡れた衣服３１等の被乾燥物を乾燥させる。
【００９０】
また、対象物乾燥モードの処理が実行されている間、被乾燥物の乾燥が完了したか否かの判定が行われる（ステップＳ１０８）。対象物乾燥モードの処理が実行されている間、表面温度検出部１８は被乾燥物の表面温度を検出する。ステップＳ１０８において判定部１９ｃは、表面温度検出部１８によって検出された表面温度が第２基準Ｔｒ２内であるか判定する。
【００９１】
表面温度検出部１８によって検出された表面温度が第２基準Ｔｒ２内である場合、すなわち、被乾燥物の乾燥が完了した場合、ステップＳ１０４の処理が再び行われる。ステップＳ１０４の処理、すなわち、検出モードの処理が再び行われると、除湿機１００は待機状態になる。また、表面温度検出部１８によって検出された表面温度が第２基準Ｔｒ２内でない場合、すなわち、被乾燥物の乾燥が完了していない場合には、被乾燥物の乾燥が完了するまで対象物乾燥モードの処理が継続される。
【００９２】
検出モードの処理は、検出手段に被乾燥物を検出させるための第１制御の一例である。対象物乾燥モードの処理は、水分が除去された空気を被乾燥物へ送るための第２制御の一例である。本実施の形態における制御部１９ａは、第１制御と第２制御とを除湿手段と送風手段と風向決定手段とに対して実行可能な制御手段の一例である。
【００９３】
第１制御の一例である検出モードの処理は、使用者によって運転ボタン２０ａが操作された後に自動的に実行される。また、検出モードの処理が実行されている際に被乾燥物が検出されると、第２制御の一例である対象物乾燥モードの処理が自動的に実行される。このように、本実施の形態の除湿機１００は、被乾燥物の有無に応じて自動的に運転する。使用者は、運転ボタン２０ａの操作のみで、除湿機１００に被乾燥物を乾燥させることができる。本実施の形態の除湿機１００は、被乾燥物がある場合には自動的に当該被乾燥物へ向けて乾燥空気Ｑを送ることができる。本実施の形態の除湿機１００は、従来に比べ、より使い勝手がよい。
【００９４】
本実施の形態において、検出モードの処理が実行されている間、除湿機１００は待機状態になっている。これにより、検出モードの処理が実行されている間の除湿機１００の消費電力が削減される。また、検出モードの処理が実行されている間は、被乾燥物に乾燥空気Ｑが当てられないため、当該被乾燥物の表面温度および当該被乾燥物の周辺の温度の変動がより小さくなる。これにより、被乾燥物の検出の精度がより良くなる。本実施の形態によれば、被乾燥物を精度良く検出することができる除湿機１００が得られる。
【００９５】
本実施の形態において、被乾燥物は、表面温度検出部１８が検出する表面温度に基づいて検出される。これにより、精度良く被乾燥物が検出される。また、表面温度検出部１８は、例えば、人等の被乾燥物以外のものを検出する装置としても機能することができる。上記の実施の形態であれば、無駄な構成部品を追加することなく、より使い勝手のよい除湿機１００が得られる。上記の実施の形態において、被乾燥物の有無は、第１基準Ｔｒ１に基づいて判定される。これにより、より精度良く被乾燥物の存在の有無が判定される。
【００９６】
また、本実施の形態において、表面温度検出部１８は、上下方向ルーバー１１および左右方向ルーバー１３とともに動く。これにより、表面温度検出部１８は、乾燥空気Ｑが当たっている送風領域の表面温度を検出することができる。本実施の形態であれば、乾燥空気Ｑが当たっている被乾燥物の乾燥が完了したか否かの判定が可能になる。また、除湿機１００は、例えば、乾燥空気Ｑが当たっている被乾燥物の状態に応じて動作することもできる。例えば、ファンモータ６の回転数は、乾燥空気Ｑが当たっている被乾燥物の状態に応じて制御されてもよい。
【００９７】
なお、図１３のフローチャートは、除湿機１００の動作の一例を示すものである。除湿機１００の動作は、図１３のフローチャートに示されるものに限定されるものではない。例えば、ステップＳ１０２、ステップＳ１０３およびステップＳ１０４は省略されてもよい。換言すると、制御部１９ａは、運転開始指示を受信した直後に検出モードの処理を実行してもよい。除湿機１００は、運転を開始した直後に待機状態になるように構成されてもよい。
【００９８】
また、検出モードの処理が実行されている間、除湿機１００は動作状態であってもよい。すなわち、検出モードの処理が実行されている間、ファンモータ６および除湿部７は駆動していてもよい。除湿機１００は、乾燥空気Ｑを吹き出したまま被乾燥物を検出してもよい。このように、制御手段の一例である制御部１９ａは、乾燥対象物を検出させるための第１制御と水分が除去された空気を当該乾燥対象物へ送るための第２制御とを実行可能に構成されればよい。
【００９９】
また、上記の実施の形態において、走査可能範囲３０ａは送風可能範囲に一致しているが、走査可能範囲３０ａと送風可能範囲とは必ずしも一致していなくてよい。走査可能範囲３０ａは、送風可能範囲の一部であってもよい。送風可能範囲と走査可能範囲とは、少なくとも一部が重なり合っていればよい。また、検出モードの処理が実行されている際の走査範囲３０は、走査可能範囲３０ａ全体であってもよい。除湿機１００は、送風可能範囲全体に乾燥空気Ｑを吹き出しつつ被乾燥物を検出してもよい。
【０１００】
実施の形態２．
次に、実施の形態２について説明する。実施の形態１と同一または相当する部分については、同じ符号を付し、また、説明を簡略化および省略する。本実施の形態の除湿機１００の基本的な構成および動作は、実施の形態１と同様に、図１から図７および図９から図１３によって示される。実施の形態１と同様の動作については、説明を省略する。
【０１０１】
図１４は、実施の形態２の制御装置１９の機能を示すブロック図である。本実施の形態の除湿機１００は、人感センサ２１を備える。図１４に示すように、人感センサ２１は、制御装置１９に接続される。人感センサ２１は、人を検出する人検出手段の一例である。人感センサ２１は、除湿機１００の前方にいる人を検出することができる機器である。人感センサ２１は、例えば、焦電素子を用いたセンサ、超音波によって人を検出するセンサまたは可視光によって人を検出するセンサである。人感センサ２１は、例えば、センサケース１７または筐体１等に設けられる。
【０１０２】
図１５は、実施の形態２の動作を示すフローチャートである。図１５のステップＳ２０１およびステップＳ２０２は、それぞれ、実施の形態１のステップＳ１０１およびステップＳ１０２と同様である。また、図１５のステップＳ２０４およびステップＳ２０８は、それぞれ、実施の形態１のステップＳ１０４からステップＳ１０８と同様である。ステップＳ２０１、ステップＳ２０２およびステップＳ２０４からステップＳ２０８の説明は省略する。
【０１０３】
本実施の形態では、実施の形態１におけるステップＳ１０３の判定に代えて、人感センサ２１によって人が検出されたか否かの判定が行われる（ステップＳ２０３）。人感センサ２１によって人が検出された場合、ステップＳ２０４の処理が行われる。人感センサ２１によって人が検出されなかった場合、ステップＳ２０２の処理が継続される。
【０１０４】
本実施の形態においては、検出モードの処理は、一定時間ごとではなく、人感センサ２１によって人が検出された場合に自動的に実行される。人感センサ２１によって人が検出された場合、すなわち、除湿機１００の前方に人がいる場合には、被乾燥物が当該人によって干されている可能性がある。本実施の形態であれば、人感センサ２１の検出結果に基づいて、被乾燥物が干されるタイミングが予測される。そして、除湿機１００は、この予測されたタイミングで被乾燥物の検出を自動的に行う。本実施の形態であれば、検出モードの処理が実行されるタイミングが、より適切なタイミングになる。これにより、より使い勝手のよい除湿機１００が得られる。
【０１０５】
なお、図１５のフローチャートは、本実施の形態の除湿機１００の動作の一例を示すものである。本実施の形態の除湿機１００の動作は、図１３のフローチャートに示されるものに限定されるものではない。例えば、実施の形態１と同様に、ステップＳ２０２が省略されてもよい。ステップＳ２０３において、除湿機１００は待機状態であってもよい。また、ステップＳ２０３において人が検出された場合には、一定時間が経過した後にステップＳ２０４の処理が実行されてもよい。例えば、ステップＳ２０４の処理は、人が検出されてから５分後に実行されてもよい。
【０１０６】
実施の形態３．
次に、実施の形態３について説明する。上記の各実施の形態と同一または相当する部分については、同じ符号を付し、また、説明を簡略化および省略する。本実施の形態の除湿機１００の基本的な構成および動作は、上記の各実施の形態と同様に、図１から図７および図９から図１３によって示される。各実施の形態と同様の動作については、説明を省略する。
【０１０７】
図１６は、実施の形態３の制御装置１９の機能を示すブロック図である。本実施の形態の除湿機１００は、報知手段の一例として、ブザー等の発音装置２２を備える。図１６に示すように、発音装置２２は、制御装置１９に接続される。なお、発音装置２２は、音を発することができればよく、ブザーに限定されるものではない。また、本実施の形態の除湿機１００は、報知手段として、発音装置２２以外の装置を備えていてもよい。例えば、除湿機１００は、可視光等によって視覚的に報知を行う装置を備えていてもよい。
【０１０８】
図１７は、実施の形態３の動作を示すフローチャートである。図１５のステップＳ３０１からステップＳ３０８は、それぞれ、実施の形態１のステップＳ１０１からステップＳ１０８と同様である。ステップＳ３０１からステップＳ３０８までの説明は省略する。
【０１０９】
本実施の形態では、ステップＳ３０８において被乾燥物の乾燥が完了したと判定された場合、発音装置２２が使用者への報知を行う（ステップＳ３０９）。本実施の形態の除湿機１００は、このように、被乾燥物の乾燥が完了したことを発音装置２２によって報知することができる。これにより、使用者は、被乾燥物の乾燥が完了したことを容易に認識できる。本実施の形態によれば、使用者によってより使い勝手のよい除湿機１００が得られる。
【符号の説明】
【０１１０】
１  筐体、  ２  車輪、  ３  吸込口、  ４  吹出口、  ５  風路、  ６  ファンモータ、  ６ａ  ファン、  ７  除湿部、  ８  貯水部、  ９  フィルター、  １０  風向変更部、  １１  上下方向ルーバー、  １１ａ  軸、  １２  第１モータ、  １２ａ  歯車、  １２ｂ  歯車、  １２ｃ  歯車、  １３  左右方向ルーバー、  １４  第２モータ、  １５  リンク、  １６  センサ部、  １７  センサケース、  １７ａ  センサ窓、  １８  表面温度検出部、  １９  制御装置、  １９ａ  制御部、  １９ｂ  記憶部、  １９ｃ  判定部、  ２０  操作部、  ２０ａ  運転ボタン、  ２０ｂ  モード選択ボタン、  ２１  人感センサ、  ２２  発音装置、  ３０  走査範囲、  ３０ａ  走査可能範囲、  ３１  衣服、  １００  除湿機、  ２００  専用ハードウェア、  ２０１  プロセッサ、  ２０２  メモリ
【図１】
2019032102.tif 000003
【図２】
2019032102.tif 000004
【図３】
2019032102.tif 000005
【図４】
2019032102.tif 000006
【図５】
2019032102.tif 000007
【図６】
2019032102.tif 000008
【図７】
2019032102.tif 000009
【図８】
2019032102.tif 000010
【図９】
2019032102.tif 000011
【図１０】
2019032102.tif 000012
【図１１】
2019032102.tif 000013
【図１２】
2019032102.tif 000014
【図１３】
2019032102.tif 000015
【図１４】
2019032102.tif 000016
【図１５】
2019032102.tif 000017
【図１６】
2019032102.tif 000018
【図１７】
2019032102.tif 000019